(57)【要約】【課題】反射効率及び輝度が高くかつ耐衝撃性に優れた反射体装置を提供する。【解決手段】反射体装置１０は、縦断面において三角波状をなす反射部１４を有する１本の透明又は半透明の樹脂製棒状体１１と、反射部１４に対向して反射部を被覆するように設けられ反射部対向面１９が鏡面である硬質のベース１２と、棒状体１１の一端面又は両端面２２，２３に対向して配置される１又は２以上のＬＥＤランプ１３とを備える。【選択図】図１
2008010300.tif 000002
【特許請求の範囲】
【請求項１】
縦断面において三角波状をなす反射部(14)を有する１本の透明又は半透明の樹脂製棒状体(11)と、
前記反射部(14)に対向して前記反射部を被覆するように設けられ反射部対向面(19)が鏡面である硬質のベース(12)と、
前記棒状体(11)の一端面又は両端面(22,23)に対向して配置される１又は２以上のＬＥＤランプ(13)と
を備えた反射体装置。
【請求項２】
ＬＥＤランプ(13)が棒状体(11)の一端面(22)に配置され、前記一端面(22)と反対側の端面(23)がベース縦断面においてベース底辺の延長線(48)に対して３０度〜６０度傾斜した平面である請求項１記載の反射体装置。
【請求項３】
反射部(14)が棒状体(11)の軸方向に連続的又は断続的に形成された請求項１記載の反射体装置。
【請求項４】
棒状体(11)の横断面が円形、採取されたマッシュルームの断面形状又はかまぼこの断面形状に形成された請求項１記載の反射体装置。
【請求項５】
ベース(12)の反射部対向面(19)が平面状に形成され、
前記ベース(12)により前記反射部(14)を被覆するときに、前記ベースの反射部対向面(19)と前記反射部(14)との間に空隙(46)が形成された請求項１記載の反射体装置。
【請求項６】
ベース(12)の反射部対向面(19)が反射部(14)に噛合するようにベース縦断面において三角波状に形成され、
前記ベース(12)により前記反射部(14)を被覆するときに、前記ベースの反射部対向面(19)が前記反射部(14)に密着するように構成された請求項１記載の反射体装置。
【請求項７】
縦断面において三角波状をなす反射部(54)を一方の面に有する１枚の透明又は半透明の樹脂製板状体(51)と、
前記板状体(51)を被覆するように前記反射部(54)に対向して設けられ反射部対向面(62)が鏡面である硬質のベース(52)と、
前記板状体(51)の一端面又は両端面(66,67)に対向して配置される１又は２以上のＬＥＤランプ(53)と
を備えた反射体装置。
【請求項８】
１枚の板状体(51)は、縦断面において三角波状をなす反射部(14)を有する２本以上の透明又は半透明の樹脂製棒状体(11)をそれぞれの反射部(14)が一平面上になるように平行に並べて接合して形成された請求項７記載の反射体装置。
【請求項９】
ＬＥＤランプ(53)が板状体(51)の一端面(66)に配置され、前記一端面(66)と反対側の端面(67)がベース縦断面におけるベース底辺の延長線(68)に対して３０度〜６０度傾斜した平面である請求項７記載の反射体装置。
【請求項１０】
反射部(54)は、板状体(51)の一方向に連続的又は断続的に形成された請求項７記載の反射体装置。
【請求項１１】
板状体(51)の他方の面である反射部に対向する反射部対向面(57)がＬＥＤランプ(53)の光軸方向に直交する断面において円弧を連ねた形状を有する請求項７記載の反射体装置。
【請求項１２】
ベース(52)の反射部対向面(62)が平面状に形成され、
前記ベース(52)により前記反射部(54)を被覆するときに、前記ベースの反射部対向面(62)と前記反射部(54)との間に空隙が形成された請求項７記載の反射体装置。
【請求項１３】
ベース(52)の反射部対向面(62)が前記反射部(54)に噛合するようにベース縦断面において三角波状に形成され、
前記ベース(52)により前記反射部(54)を被覆するときに、前記ベースの反射部対向面(62)が前記反射部(54)に密着するように構成された請求項７記載の反射体装置。
【発明の詳細な説明】
【技術分野】
【０００１】
本発明は、透明又は半透明な材料で作られた棒状体又は板状体の端面にＬＥＤランプを配置し、これらの表面を発光させる反射体装置に関する。
【背景技術】
【０００２】
従来、軸方向に光路が確保されている所定長さの透明な棒状体からなり、その端部からＬＥＤランプの光線が入射されるようにした反射体が知られている（例えば、特許文献１参照。）。この反射体は、棒状体の外周面の一部に、側面形状が略鋸歯形状を呈する斜面からなる複数個のギザギザが、軸方向にわたって、入射される光線を横切る方向に形成されている。この反射体は、少ない数の光源により、長い範囲或いは広範囲にわたって一様に光らせることができる。
【特許文献１】特開２００４−１０９３９１号公報（請求項１、図１、図５）
【発明の開示】
【発明が解決しようとする課題】
【０００３】
しかし、上記棒状体の反射体は、複数個のギザギザだけで入射させた光線を反射させているため、反射効率が低く輝度に劣り、また棒状体のみからなるため、耐衝撃性が十分でない問題があった。
【０００４】
本発明の第１の目的は、反射効率及び輝度が高くかつ耐衝撃性に優れた反射体装置を提供することにある。
本発明の第２の目的は、棒状体の軸方向又は板状体の長手方向に沿った面において発光部分と非発光部分を生じさせることにより、文字や、図柄等の表示を行うことができる反射体装置を提供することにある。
【０００５】
本発明の第３の目的は、棒状体の上面又は板状体の上面のみだけでなく、棒状体の側面又は板状体の側面をも輝面とすることができる反射体装置を提供することにある。
本発明の第４の目的は、板状体とすることで、照射範囲の広い反射体装置を提供することにある。
本発明の第５の目的は、板状体を２本以上の棒状体を接合して構成することで、反射体装置の用途に応じて板状体の大きさを調節できる反射体装置を提供することにある。
【課題を解決するための手段】
【０００６】
請求項１に係る発明は、図１に示すように、反射体装置１０は、縦断面において三角波状をなす反射部１４を有する１本の透明又は半透明の樹脂製棒状体１１と、反射部１４に対向して反射部を被覆するように設けられ反射部対向面１９が鏡面である硬質のベース１２と、棒状体１１の一端面又は両端面２２，２３に対向して配置される１又は２以上のＬＥＤランプ１３とを備える。
【０００７】
請求項２に係る発明は、請求項１に係る発明であって、図４に示すように、ＬＥＤランプ１３が棒状体１１の一端面２２に配置され、この一端面２２と反対側の端面２３がベース縦断面においてベース底辺の延長線４８に対して３０度〜６０度傾斜した平面である反射体装置である。
【０００８】
請求項３に係る発明は、請求項１に係る発明であって、反射部１４が棒状体１１の軸方向に連続的（図１及び図２）又は断続的（図５及び図６）に形成された反射体装置である。
【０００９】
請求項４に係る発明は、請求項１に係る発明であって、棒状体１１の横断面が円形、採取されたマッシュルームの断面形状（図１）又はかまぼこの断面形状に形成された反射体装置である。
【００１０】
請求項５に係る発明は、請求項１に係る発明であって、図７に示すように、ベース１２の反射部対向面１９が平面状に形成され、ベース１２により反射部１４を被覆するときに、ベースの反射部対向面１９と反射部１４との間に空隙４６が形成された反射体装置である。
【００１１】
請求項６に係る発明は、請求項１に係る発明であって、図２に示すように、ベース１２の反射部対向面１９が反射部１４に噛合するようにベース縦断面において三角波状に形成され、ベース１２により反射部１４を被覆するときに、ベースの反射部対向面１９が反射部１４に密着するように構成された反射体装置である。
【００１２】
請求項７に係る発明は、図８に示すように、反射体装置５０は、縦断面において三角波状をなす反射部５４を一方の面に有する１枚の透明又は半透明の樹脂製板状体５１と、この板状体５１を被覆するように反射部５４に対向して設けられ反射部対向面６２が鏡面である硬質のベース５２と、板状体５１の一端面又は両端面６６、６７に対向して配置される１又は２以上のＬＥＤランプ５３とを備える。
【００１３】
請求項８に係る発明は、請求項７に係る発明であって、１枚の板状体５１は、図２に示される、縦断面において三角波状をなす反射部１４を有する２本以上の透明又は半透明の樹脂製棒状体１１をそれぞれの反射部１４が一平面上になるように平行に並べて接合して形成された反射体装置である。
【００１４】
請求項９に係る発明は、請求項７に係る発明であって、図１０に示すように、ＬＥＤランプ５３が板状体５１の一端面６６に配置され、一端面６６と反対側の端面６７がベース縦断面におけるベース底辺の延長線６８に対して３０度〜６０度傾斜した平面である反射体装置である。
【００１５】
請求項１０に係る発明は、請求項７に係る発明であって、反射部５４は、板状体５１の一方向に連続的（図８）又は断続的（図１１）に形成された反射体装置である。
【００１６】
請求項１１に係る発明は、請求項７に係る発明であって、図９に示すように、板状体５１の他方の面である反射部に対向する反射部対向面５７がＬＥＤランプ５３の光軸方向に直交する断面において円弧を連ねた形状を有する反射体装置である。
【００１７】
請求項１２に係る発明は、請求項７に係る発明であって、図８に示すベース５２の反射部対向面６２が平面状に形成され（図示せず）、ベース５２により反射部５４を被覆するときに、ベースの反射部対向面６２と反射部５４との間に空隙（図示せず）が形成された反射体装置である。
【００１８】
請求項１３に係る発明は、請求項７に係る発明であって、図８に示すように、ベース５２の反射部対向面６２が反射部５４に噛合するようにベース縦断面において三角波状に形成され、ベース５２により反射部５４を被覆するときに、ベースの反射部対向面６２が反射部５４に密着するように構成された反射体装置である。
【発明の効果】
【００１９】
請求項１に記載された反射体装置では、図１及び図２に示すように、三角波状の反射部１４のプリズム効果により、ＬＥＤランプ１３から棒状体に入射した光線が多角的に反射し、棒状体１１から広範囲に光を発する。また反射部対向面１９が鏡面であるベース１２により、ＬＥＤランプ１３から棒状体に入射した光線が反射部１４に到達したときにベース１２の反射部対向面で反射するため、反射効率が高く、これに伴い輝度が高くなる。また反射部１４が硬質のベース１２で保護されるため、反射体装置の使用時に三角波状の反射部に衝撃を与えても、反射部に欠け等が起こらず、耐衝撃性が高くなるとともに反射部１４の汚れによる反射効率の低下を防止する。
【００２０】
請求項２に記載された反射体装置では、図４に示すように、一端面２２から入射した光線が棒状体１１の軸方向に沿って反対側の端面２３に到達する。この端面２３で反射した光線が反射部１４と対向する上面１５を透過する。これにより、端面２３から外部へ出る光量が減少するので、反射部１４に対向する輝面である上面１５における輝度を高くすることができる。
【００２１】
請求項３に記載された反射体装置では、図１及び図２に示すように、連続的に反射部１４が形成される場合、反射部１４に対向する上面１５から棒状体１１の軸方向に沿って連続的に光線が外部に出る。光線は、ＬＥＤランプ１３から遠のく程、その光量が減少するので、所望の輝度を維持するためには、長さが小さい棒状体１１を用いる反射体装置に好適である。図５及び図６に示すように、断続的に反射部１４が形成される場合、反射部１４に対向する上面１５から棒状体１１の軸方向に沿って、断続的に光線が棒状体１１の外部に出る。平面部４９では光線が外部に出にくいので、反射部１４が連続的なものと比べて光量の減少度合いが低く、反射部１４を連続的に形成した棒状体１１を用いる反射体装置よりも棒状体１１の長さを大きくしても、所望の輝度を維持することができる。
【００２２】
請求項４に記載された反射体装置では、図２及び図３に示すように、ＬＥＤランプ１３で発生した光線は、一端面２２又は両端面２２，２３から棒状体１１内部に入射し、反射部１４から上面１５に到達する。上面１５は平面的ではなく曲面的であるため、透過屈折により上面１５から外部へ出る光線を除いて、全反射した光線が棒状体１１内部で拡散し、反射部１４のみだけでなく側面１６にも光線が向かう。これにより、棒状体１１の側面１６をも輝面とすることができる。
【００２３】
請求項５に記載された反射体装置では、図７に示すように、光線は反射部１４を形成する小斜面を透過屈折し空隙４６に入る。光線はベースの反射部対向面１９に到達した後、所定の反射角で全反射し、別の小斜面から再び棒状体１１内部へ戻る。このため、ベースの反射部対向面１９において反射が起こり、反射部１４を形成する小斜面同士が接する区切り線１４ａが見にくくなる。この結果、棒状体１１全長に亘って輝面である上面１５における輝度を均一にすることができる。
【００２４】
請求項６に記載された反射体装置では、図２に示すように、端面２２から棒状体１１内部に入射した光線が反射部１４を形成する小斜面に到達する。小斜面の下にはベースの反射部対向面１９が密着しているため、到達した光線はすべて全反射して反射部１４に対向する上面１５へ向かう。このため、対向し合う小斜面間で透過屈折が起こらず、反射部１４を構成する１つ１つの小斜面を見ることができ、輝面である上面１５における輝度を高くすることができる。
【００２５】
請求項７に記載された反射体装置では、図８に示すように、ＬＥＤランプ５３の入射対象物を板状体５１とすることで、棒状体１１とするよりも、より広い照射範囲が得られる。また、請求項１に記載された反射体装置と同様に、反射部対向面６２が鏡面であるベース５２により、ＬＥＤランプ５３から板状体に入射した光線が反射部５４に到達したときにベース５２の反射部対向面で反射するため、反射効率が高く、これに伴い輝度も高くなる。また反射部５４が硬質のベース５２で保護されるため、反射体装置の使用時に三角波状の反射部に衝撃を与えても、反射部に欠け等が起こらず、耐衝撃性が高くなる。
【００２６】
請求項８に記載された反射体装置では、図８に示すように、板状体５１を構成する棒状体１１の個数を増減することで、反射体装置の用途に応じて板状体の大きさを調節できる。また、反射部５４を覆うベース５２を備えたことにより、２本以上の棒状体１１の集合体である板状体５１の形態を保持しやすい。この結果、大きさの調節が容易で形態保持に優れた反射体装置を得ることができる。
【００２７】
請求項９に記載された反射体装置では、図１０に示すように、請求項２に記載された反射体装置と同様に、反射部５４に対向する輝面である上面５５における輝度を高くすることができる。
【００２８】
請求項１０に記載された反射体装置では、請求項３に記載された反射体装置と同様に、連続的に反射部５４が形成される場合（図８）、長さが小さい板状体５１を用いる反射体装置に好適であり、断続的に反射部５４が形成される場合(図１１)、反射部５４を連続的に形成した板状体５１を用いる反射体装置よりも板状体５１の長さを大きくしても、所望の輝度を維持することができる。更に、棒状体１１の集合体である板状体５１、又は一体成形である板状体５１においては、反射部５４を任意に形成することによって、その形成された反射部５４と平面部６１の分布により、輝面において文字や図柄を表示することができる。この結果、照明機能の他に表示機能をも備えることができる。
【００２９】
請求項１１に記載された反射体装置では、図８及び図９に示すように、ＬＥＤランプ５３で発生した光線は、一端面又は両端面６６，６７から板状体５１内部に入射し、反射部５４から上面５５に到達する。上面５５は平面的ではなく曲面的であるため、透過屈折により上面５５から外部へ出る光線を除いて、全反射した光線が板状体５１内部で拡散し、反射部５４のみだけでなく側面５６或いは板状体の側面６０にも光線が向かう。これにより、板状体５１の側面５６或いは側面６０をも輝面とすることができる。
【００３０】
請求項１２に記載された反射体装置では、請求項５に記載された反射体装置と同様に、反射部を形成する小斜面同士が接する区切り線（図示せず）が見にくくなるため、板状体全長に亘って反射部に対向する輝面である上面及び側面からなる連続面における輝度を均一にすることができる。
【００３１】
請求項１３に記載された反射体装置では、図８に示すように、請求項６に記載された反射体装置と同様に、反射部５４を構成する１つ１つの小斜面を見ることができ、輝面である上面５５における輝度を高くすることができる。
【発明を実施するための最良の形態】
【００３２】
次に本発明を実施するための最良の形態を図面に基づいて説明する。
【００３３】
＜第１の実施の形態＞
図１に示すように、第１の実施の形態の反射体装置１０は、１本の棒状体１１と１枚のベース１２と２個のＬＥＤランプ１３とを備える。
【００３４】
棒状体１１は、透明又は半透明の樹脂からなる。樹脂としては、アクリル系樹脂、ポリカーボネート樹脂等が挙げられる。棒状体１１の両端面２２、２３は、その軸線に対して鉛直面をなす。図２に示すように、棒状体１１は縦断面において三角波状の反射部１４を有する。図１及び図２に示すように、反射部１４は棒状体底部に一平面に沿って連続して形成される。図２では１個のＬＥＤランプのみ示す。棒状体１１の軸方向における反射部１４の縦断面では、隣合う小斜面１７、１８が、二等辺三角形の隣合う斜辺のように、約９０度の内角を形成しながら連続する。小斜面１７、１８によりプリズムが形成される。
【００３５】
図３に示すように、棒状体１１の横断面は採取されたマッシュルームを縦割りにしたときの断面形状をなす。即ち、棒状体１１の横断面において、上述した棒状体底部の平面的な反射部１４と、棒状体頂部の円弧状の上面１５と、この上面１５と反射部１４に挟まれた棒状体側部の互いに対向する円弧状の２つの側面１６とを有する。
【００３６】
ベース１２は硬質の樹脂又は金属からなる。樹脂としてはＡＢＳ(acrylonitorile butadiene styrene)樹脂が、金属としては陽極酸化皮膜付きアルミニウム、ステンレススチールが例示される。ベース１２は、この実施の形態では、横断面が椀形をなし、反射部１４と２つの側面１６に対向してこの反射部と側面の下半分とを被覆するように設けられる。なお、ベースの横断面を反射部と側面の下半分を包み込む椀形に形成する代わりに、単なる板状でもよい。この反射部対向面１９及び側面対向面１９ａは鏡面になっている。ベース本体が樹脂の場合、鏡面は、クロムめっき、錫・ニッケルめっき等のめっき膜で被覆するか、ベース本体に塗装して反射性の高い塗膜で被覆することにより作られる。ベース本体がステンレススチール等の反射性を有する金属の場合、特に表面処理は不要である。ベース１２の反射部対向面１９は、反射部と噛合するように、その縦断面において三角波状に形成される。即ち、反射部対向面１９には、反射部１４の小斜面１７、１８と噛合する、反射部と同一ピッチの、反射部と同形同大の小斜面２０、２１が形成される。
【００３７】
図１及び図２に示すように、ベース１２と組合わされた棒状体１１の端面２２、２３には、ランプ光軸を棒状体の中心軸に合せて、一対のＬＥＤランプ１３が配置される。ＬＥＤランプ１３としては、集光型のＬＥＤが好ましい。ＬＥＤランプ１３のソケット１３ａの横断面は、棒状体１１の端面と同様の採取されたマッシュルームの断面形状をなし、棒状体１１の端面２２、２３の周縁よりも一回り大きい。一対のソケット１３ａは棒状体１１の両端部に嵌着される。
【００３８】
このように構成された反射体装置１０の作用を説明する。なお、この実施の形態において、図１、図２及び図３では、光線を１本の細線により描いているが、実際には、ＬＥＤ１３からの光線は無数本出ており、全反射や透過屈折により各々１本の光線がそれぞれ無数本に分散している。
【００３９】
図２に示すように、反射体装置１０では、ＬＥＤランプ１３からの光線２５が端面２２から棒状体１１内部に入射し、入射した光線２５の一部２６が、それぞれの入射角で、反射部１４に対向する上面１５に到達する。この上面１５に到達した光線２６のうち、入射角が臨界角に満たない光線２７は透過屈折により上面１５から棒状体１１の外部へ出る。入射角が臨界角を満たした光線２８は入射角と同じ角度で拡散しながら全反射し、反射部１４を構成する小斜面１７又はベースの小斜面２０に向かって棒状体１１内部を進む。
【００４０】
続いて、小斜面１７に到達した光線２８は、ベースの小斜面入射角と同じ角度で光線２８の全量が小斜面１７、２０で全反射する。これは反射部１４がベース１２により覆われているためである。全反射した光線２９は上面１５に到達し、再び、入射角の大きさにより、透過屈折により上面１５から棒状体１１の外部へ出る光線３０と、全反射する光線３１に分かれる。この光線３１は小斜面１８又はベースの小斜面２１に向かって棒状体１１内部を進み、続いて小斜面１８、２１で全反射する。即ち、三角波状の反射部１４のプリズム効果により、ＬＥＤランプ１３から棒状体に入射した光線が多角的に反射し、棒状体１１から広範囲に光を発する。
【００４１】
一方、図３に示すように、棒状体１１の上面１５が円弧状をなすために、光線２８が光線２８ａ、２８ｂ、２８ｃ等に拡散する。拡散した光線２８ｂ、２８ｃの中には、棒状体の円弧状の側面１６に到達し、再び、入射角θの大きさにより、透過屈折により側面１６から棒状体１１の外部へ出る光線と全反射して棒状体１１内部を小斜面や、上面１５又は側面１６へ向かって移動する光線等に分かれる。
【００４２】
上記作用が、光線２５が端面２２に対向する端面２３に到達するまで繰返される。なお、図１に示される端面２３に対し垂直に設置されたＬＥＤからの光線３２も、端面２３から棒状体１１内部へ入射し、同様の作用を繰返して端面２２に向かう。
【００４３】
なお、上記第１の実施の形態では、棒状体の横断面が採取されたマッシュルームの断面形状である例を示したが、円形又はかまぼこの断面形状でもよい。また、棒状体１１の両端面２２、２３は、その軸線に対して鉛直面である例を示したが、図４に示すように、ＬＥＤランプ１３を棒状体１１の一端面２２に配置する場合には、一端面２２と反対側の端面２３がベース縦断面においてベース底辺の延長線４８に対して角度θ傾斜した平面であってもよい。角度θは３０度〜６０度が好ましく、４０度〜５０度が更に好ましく、４５度が最も好ましい。このような反射体装置では、一端面２２から入射した光線が棒状体１１の軸方向に沿って反対側の端面２３に到達した後、この端面２３で反射した光線が反射部１４と対向する上面１５を透過する。これにより、端面２３から外部へ出る光量が減少するので、ＬＥＤランプ１３が棒状体１１の一端面にだけ設けられた場合にも、反射部１４に対向する輝面である上面１５における輝度を高くすることができる。
【００４４】
また、上記第１の実施の形態では、棒状体の軸方向に反射部１４の三角波状が、連続的にが形成された例を示したが、図５及び図６に示すように、断続的に形成されたものでもよい。三角波状の反射部が形成されない部分４９は非発光部分となる。図６に示すように、断続的に反射部１４が形成される反射体装置では、反射部１４に対向する上面１５から棒状体１１の軸方向に沿って、断続的に光線が棒状体１１の外部に出る。部分４９では光線が外部に出にくいので、反射部１４が連続的なものと比べて光量の減少度合いが低く、反射部１４を連続的に形成した棒状体１１を用いる反射体装置よりも棒状体１１の長さを長くしても、所望の輝度を維持することができる。非発光部分４９に文字や、図柄等を印刷しておけば、ＬＥＤランプ１３の光線で棒状体の外部からこれらを明示することができる。
【００４５】
更に、上記第１の実施の形態では、反射部１４とベース１２とがそれぞれ縦断面において三角波状に形成され、互いに密着する例を示したが、図７に示すように、反射部１４に対向するベース１２の反射部対向面１９を平面状に形成して、ベース１２により反射部１４を被覆したときに、ベースの反射部対向面１９と反射部１４との間に空隙４６を形成してもよい。このような反射体装置では、光線は反射部１４を形成する小斜面を透過屈折し空隙４６に入る。光線はベースの反射部対向面１９に到達した後、所定の反射角で全反射し、別の小斜面から再び棒状体１１内部へ戻る。このため、ベースの反射部対向面１９において反射が起こり、反射部１４を形成する小斜面同士が接する区切り線１４ａが見にくくなる。この結果、棒状体１１全長に亘って輝面である上面１５における輝度を均一にすることができる。
【００４６】
＜第２の実施の形態＞
図８に示すように、第２の実施の形態の反射体装置５０は、１枚の板状体５１と１枚のベース５２と８個のＬＥＤランプ５３とを備える。
【００４７】
板状体５１は、第１の実施の形態の棒状体と同じ樹脂からなる。板状体５１の両端面６６は、その長手方向に対して鉛直面をなす。この板状体５１は、その縦断面において三角波状をなす反射部５４を一方の面に有し、この反射部５４は連続して形成される。この板状体５１の長手方向における反射部５４の縦断面は、図２に示されるものと同一である。この１枚の板状体５１は、縦断面において図２及び図３に示した透明又は半透明の樹脂製棒状体１１を４本用意し、これらをそれぞれの反射部１４（図２及び図３）が一平面上になるように平行に並べて接合して形成される。なお、１枚の板状体は一体的に樹脂成形してもよい。
【００４８】
図９に示すように、板状体５１の他方の面である反射部に対向する反射部対向面５７はＬＥＤランプ５３の光軸方向に直交する断面（板状体５１の横断面）において円弧を連ねた略イギリスパンの外観形状をなす。即ち、板状体５１は、その横断面において、平面的な反射部５４と反射部対向面５７から構成され、この反射部対向面５７を構成する各円弧は、棒状体頂部の円弧状の上面５５と、この上面に続く互いに対向する円弧状の２つの側面５６とを有する。
【００４９】
ベース５２は第１の実施の形態で示したベース１２と同質の材料からなる。図９に示すように、ベース５２は、この実施の形態では、横断面において、底部５２ａとその両端部にフランジ５２ｂとを有し、底部５２ａの上面は反射部対向面６２となる。この反射部対向面６２は、縦断面において、連続した三角波状をなし、板状体５１の三角波状の反射部５４と噛合するようになっている。またベース５２は外観が略イギリスパン形状をなす板状体５１の底面及び両側面下部を被覆するように設けられる。なお、ベースは、フランジがないものでもよい。
【００５０】
図８に示すように、ベース５２と組合わされた板状体５１の端面６６、６７には、それぞれのランプ光軸を棒状体１１の中心軸に合せて、ＬＥＤランプ５３が配置される。ＬＥＤランプ５３としては、集光型のＬＥＤが好ましい。ＬＥＤランプ５３のソケット５３ａの横断面は、板状体５１の端面と同様の形状をなし、板状体５１の端面６６、６７の周縁よりも一回り大きい。一対のソケット５３ａは板状体５１の端部に嵌着される。
【００５１】
このように構成された反射体装置５０では、ＬＥＤランプ５３で発生した光線は、一端面又は両端面６６，６７から板状体５１内部に入射し、反射部５４から上面５５に到達する。上面５５は平面的ではなく曲面的であるため、透過屈折により上面５５から外部へ出る光線を除いて、全反射した光線が板状体５１内部で拡散し、反射部５４のみだけでなく側面５６或いは板状体の側面６０にも光線が向かう。これにより、板状体５１の側面５６或いは側面６０をも輝面とすることができる。
【００５２】
なお、上記第２の実施の形態では、板状体５１の両端面６６、６７は、その長手方向に対して鉛直面である例を示したが、図１０に示すように、ＬＥＤランプ５３を板状体５１の一端面２２に配置する場合には、一端面６６と反対側の端面６７がベース縦断面においてベース底辺の延長線６８に対して角度θ傾斜した平面であってもよい。角度θは３０度〜６０度が好ましく、４０度〜５０度が更に好ましく、４５度が最も好ましい。このような反射体装置では、一端面６６から入射した光線が板状体５１の軸方向に沿って反対側の端面６７に到達した後、この端面６７で反射した光線が反射部５４と対向する上面５５を透過する。これにより、端面６７から外部へ出る光量が減少するので、ＬＥＤランプ５３が板状体５１の一端面にだけ設けられた場合にも、反射部５４に対向する輝面である上面５５における輝度を高くすることができる。
【００５３】
また、上記第２の実施の形態では、板状体の長手方向に反射部５４の三角波状が、連続的にが形成された例を示したが、図１１に示すように、断続的に形成されたものでもよい。三角波状の反射部が形成されない部分６１は非発光部分となる。
【００５４】
更に、上記第２の実施の形態では、板状体の両端面にそれぞれ４個ずつのＬＥＤランプを配置する例を示したが、ＬＥＤランプの個数は、板状体を構成する曲面の個数に合わせて増減させてもよく、或いは曲面の個数に合わせなくてもよい。
【図面の簡単な説明】
【００５５】
【図１】本発明の第１実施形態の反射体装置の組立斜視図である。
【図２】図１のＡ−Ａ線縦断面図である。
【図３】図１のＢ−Ｂ線横断面図である。
【図４】棒状体の一端面がベース底辺の延長線に対して傾斜した平面である反射体装置の図２に対応する縦断面図である。
【図５】棒状体の反射部が断続的に形成された反射体装置の組立斜視図である。
【図６】図５のＣ−Ｃ線縦断面図である。
【図７】反射部とベースの間に空隙が形成された図６に対応する縦断面図である。
【図８】本発明の第２実施形態の反射体装置の組立斜視図である。
【図９】図８のＤ−Ｄ線横断面図である。
【図１０】板状体の一端面がベース底辺の延長線に対して傾斜した平面である反射体装置の組立斜視図である。
【図１１】板状体の反射部が断続的に形成された反射体装置の組立斜視図である。
【符号の説明】
【００５６】
１０，５０  反射体装置
１１  棒状体
１２，５２  ベース
１３，５３  ＬＥＤランプ
１４，５４  反射部
１９，６２  反射部対向面
２２，２３，６６，６７  端面
４６  空隙
４８，６８  延長線
５１  板状体
【図１】
2008010300.tif 000003
【図２】
2008010300.tif 000004
【図３】
2008010300.tif 000005
【図４】
2008010300.tif 000006
【図５】
2008010300.tif 000007
【図６】
2008010300.tif 000008
【図７】
2008010300.tif 000009
【図８】
2008010300.tif 000010
【図９】
2008010300.tif 000011
【図１０】
2008010300.tif 000012
【図１１】
2008010300.tif 000013